(57)【要約】【課題】  従来の仕切りは収納物を分類しながら収納する際、特定の箇所に収納物が集中すると収納物を取り出して、仕切りを移動して対応する等の繁雑な問題がある。【解決手段】１．収納物を収納ラック等に直に置くのでなく、分類して乗せる仕切り装置（４０）を設け、収納物を仕切りと一体で移動する構造とした。２．隣り合う仕切り装置（４０）を連結する機構を設け、複数の仕切りを同時に左右に移動出来る構造とした。３．連結した複数の仕切り装置を滑らかに同時に移動できる車を設けた。上記手段を取ることで何れの箇所でも、左右の収納物を取り出すことなく連結器を外し仕切り装置（４０）の増設、削減することができる。【選択図】図５
2006223790.tif 000002
【特許請求の範囲】
【請求項１】
収納物を仕切って保管する収納用ラックにおいて、該収納用ラックの載置面と平行な載置面を有する載置部材の上面に、左右方向を仕切る垂直な仕切り部材を有する仕切り付き載置部材であって、これを左右に複数並べるとき隣接する仕切り付き載置部材を連結固定する機構を有し、載置部材の下面には円滑な移動に要する摩擦の小さい部品を設けて、又該載置部材の前後部に左右方向へ移動する際ガイドとなる案内面を有することを特徴とする仕切り装置と、これを備えて、該仕切り装置の前記移動方向を制御するガイドレールをラックの載置面に設けた収納用ラック。
【請求項２】
収納物を仕切って保管する収納用ラックにおいて、該収納用ラックの載置面と平行な載置面を有する載置部材の上面に、左右方向を仕切る垂直な仕切り部材を有する仕切り付き載置部材であって、これを左右に複数並べるとき隣接する仕切り付き載置部材を連結固定する機構を有し、載置部材の下面には円滑な移動に要する平面を設けて、又該載置部材の前後部に左右方向へ移動する際ガイドとなる案内面を有することを特徴とする仕切り装置と、これを備えて該仕切り装置を乗せて円滑な移動に要する摩擦の小さい部品と、前記移動方向を制御するガイドレールをラックの載置面に設けた収納用ラック。
【請求項３】
収納物を仕切って保管する収納用ラックにおいて、該収納用ラックの載置面と平行な載置面を有する載置部材の上面左右両端に、一体且つ垂直な仕切り部材を有する仕切り付き載置部材であって、これの下面には円滑な移動に要する摩擦の小さい部品を設けて、又該載置部材の前後部に左右方向へ移動する際ガイドとなる案内面を有することを特徴とする仕切り装置と、これを備えた請求項１に記載する収納用ラック。
【請求項４】
収納物を仕切って保管する収納用ラックにおいて、該収納用ラックの載置面と平行な載置面を有する載置部材の上面左右両端に、一体且つ垂直な仕切り部材を有する仕切り付き載置部材であって、これの下面には円滑な移動に要する平面を設けて、又該載置部材の前後部に左右方向へ移動する際ガイドとなる案内面を有することを特徴とする仕切り装置と、これを備えた請求項２に記載する収納用ラック。
【発明の詳細な説明】
【技術分野】
【０００１】  本発明は書類やカルテなど、仕切りを設けて分類保管する装置において、特定の箇所の収納物が増加又は減少した際に、仕切りの移動及び増減を容易にした、仕切り装置とこれを備えた収納用ラックに関するものである。
【背景技術】
【０００２】  収納用ラック本体に容易に取り付けが出来て、本体に取り付けた状態で、取り付け位置をラックの幅方向に自由に調整出来る仕切り装置がある。その例として特許文献１、特許文献２がある。
又、可動式棚板で収納庫を仕切って細分化し、分類を明確にする棚板を兼ねた仕切りがある。その例として特許文献３がある。
【特許文献１】実用新案登録第３０７７４３６号公報
【特許文献２】特開２００１−４６１６０公報
【特許文献３】特開２００１−２７０２７８公報
【発明の開示】
【発明が解決しようとする課題】
【０００３】  従来の仕切りは収納物を分類しながら収納する際、隣接する特定の箇所に収納物が集中すると収納物のスペースを確保する為
１．収納物の一部、又は場合によって総て取り出す。
２．仕切りの一部、又は場合によって総てを外す。
３．適正な仕切り間隔を推定して仕切りを移動する。
４．再度収納物を戻して保管する。
等の問題が有る。逆に特定の箇所の収納物が減少し不要となった仕切り間の空間を無くし、収納物を集中管理したい場合も前記同様の問題が有る。
【課題を解決する為の手段】
【０００４】  前記問題を解決する為に、第１の手段として、本発明に関わる仕切り装置と収納用ラックは、収納物を仕切って保管する収納用ラック１において、該収納用ラックの載置面２と平行な載置面を有する載置部材５、４１の上面５Ａ、４１Ａに、左右方向を仕切る垂直な仕切り部材６、４６を有する仕切り付き載置部材であって、これを複数並べるとき隣接する仕切り付き載置部材を連結固定する機構１０、４２を有し、載置部材の下面には円滑な移動に要する摩擦の小さい部品９、４５を設けて、又前後には移動する際ガイドとなる案内面８、４３を有することを特徴とする仕切り装置とし、これを備えて、該仕切り装置の移動方向を制御するガイドレール４をラックの載置面に設けた収納用ラックとした。
【０００５】  又、前記問題を解決するために第２の手段として本発明に関わる仕切り装置と収納用ラックは、収納物を仕切って保管する収納用ラック６０において、該収納用ラックの載置面６１と平行な載置面６５Ａを有する載置部材６５の上面に、左右方向を仕切る垂直な仕切り部材７０を有する仕切り付き載置部材であって、これを複数並べるとき隣接する仕切り付き載置部材を連結固定する機構６８Ａ、６８Ｂを有し、載置部材の下面には円滑な移動に要する平面７７を設けて、又前後部には移動する際ガイドとなる案内面６６を有することを特徴とする仕切り装置とし、これを備えて該仕切り装置を乗せて円滑な移動に要する摩擦の小さい部品６２と、移動方向を制御するガイドレール６３をラックの載置面に設けた収納用ラックとした。
【０００６】  又、前記問題を解決するために第３の手段として本発明に関わる仕切り装置と収納用ラックは、収納物を仕切って保管する収納用ラック１において、該収納用ラックの載置面２と平行な載置面９１Ａを有する載置部材９１の上面両端に、一体且つ垂直な仕切り部材９２を有する仕切り付き載置部材であって、これの下面には円滑な移動に要する摩擦の小さい部品９５を設けて、又前後部には移動する際ガイドとなる案内面９４を有することを特徴とする仕切り装置とし、これを備えた第１の手段に記載すると同じ収納用ラックとした。
【０００７】  又、前記問題を解決するために第４の手段として本発明に関わる仕切り装置と収納用ラックは、収納物を仕切って保管する収納用ラック６０において、該収納用ラックの載置面６１と平行な載置面８１Ａを有する載置部材８１の上面両端に、一体且つ垂直な仕切り部材８２を有する仕切り付き載置部材であって、これの下面には円滑な移動に要する平面８６を設けて、又前後部には移動する際ガイドとなる案内面８４を有することを特徴とする仕切り装置とし、これを備えた第２の手段に記載すると同じ収納用ラックとした。
【発明の効果】
【０００８】  請求項１、２記載の仕切り装置と収納用ラックによれば、書類やカルテ等収納物を分類しながら収納保管する際、特定の箇所に収納物が集中し、仕切り幅を広げたい時他の収納物を取り出す、仕切りを外して移動する等の必要が無く、一カ所の連結を外し、必要な仕切り装置を増設することが可能なので、大幅な時間と工数を節約する効果が得られる。又、逆に収納物が減少し不要となった空間を無くし、残った仕切り装置を集中管理する際も、前記と全く同じ効果が得られる。
【０００９】  請求項３、４に記載の仕切り装置と収納用ラックによれば、載置部の両サイドに仕切りを設けた仕切り装置であり、仕切り装置自体を分類単位とする事が可能であり、連結を外す手間も省けるうえ、手の届く幅の収納用ラックであれば、請求項１、２に記載の仕切り装置及び収納用ラックと全く同じ効果が得られる。
【発明を実施する為の最良の形態】
【実施例１】
【００１０】  本発明の実施例を図１乃至図４に基づいて詳細に説明する。図１は本発明になる収納用ラックの斜視全体図である。１は収納用ラックである。２はラックの載置面である。３Ａ、３Ｂ、３Ｃは図２で示す仕切り装置である。４は仕切り装置群を移動する方向を制御するガイドレールである。【００１１】  図２はラック１の載置面２を収納物を乗せて移動する仕切り装置の斜視全体図である。３は仕切り装置である。５はラック１の載置面２と平行な平面５Ａを成す仕切り装置の載置部材である。６は前記載置部材５の端に垂直に一体で形成された仕切り部材である。７は載置部５に垂直な仕切り部材６と直角に形成した後壁である。後壁７の下方に伸びた箇所８Ａと載置部材５の前側下方に伸びた箇所８Ｂの一部は収納物を乗せて仕切り装置３を移動する際、ガイドとなる案内面である。９は車輪である。収納物を載置部材５に乗せて仕切り装置３を左右に滑らかに移動出来るように載置部材５の下面に４個並列に配置して取り付けてある。【００１２】  図３は連結噐の斜視全体図である。１０は仕切り装置３と仕切り装置３を分離結合する連結噐である。１０Ａ１はフックで連結棒１０Ｃによりフック１０Ａ２と同相で組み込まれている。又１０Ｂ１はフックの引掛けピンで載置部５後面に１０Ｂ１と同じ位置関係に１０Ｂ２が組み付けてある。【００１３】  図４は図１に示す収納用ラック１に置かれた仕切り装置群３Ａ、３Ｂ、３Ｃの様態を正面から見た簡略図で１１、１２、１３、１４の４例を示す。
１１は仕切り装置３Ａ、３Ｂの連結を離し、３Ａと３Ｂの間に空き１５を設けた図。
１２は３Ａと３Ｂの間に設けた空き１５に予備の仕切り装置３Ｄを装入３Ａ、３Ｄ、３Ｂ、３Ｃを連結した図。
１３は図１の仕切り装置群３Ａ、３Ｂ、３Ｃの３Ｂを３Ａ、３Ｃとの連結を離して外し空き１６を設けた図。
１４は１３の仕切り装置３Ａと３Ｃを連結し、空き１６を無くした図である。【００１４】  このように構成された収納用ラック１の載置面２に置かれた、収納物を乗せて移動する仕切り装置３の作用を図１乃至図４により説明する。図１の仕切り装置群の中の例として、仕切り装置３Ａ又は３Ｂの収納能力が越えて仕切り幅を増設する場合と仕切り装置３Ｂの収納物が無くなり、３Ｂを撤去する場合について以下説明する。【００１５】  図１の３は仕切り装置群であり、それぞれ下面に車輪９を４個取り付けて連結噐１０で連結されている。何れかの仕切り装置に力を加えることで移動方向を制御するガイドレール４に沿って、仕切り装置群を同時に左又は右に移動することが出来る。【００１６】  図１の仕切り装置の３Ａ又は３Ｂの何れかの収納能力が越えて、３Ａと３Ｂの間に新しく仕切り幅を増設する必要が生じたとき。図４の１１の通り、仕切り装置３Ａと３Ｂを連結している連結噐１０のフック１０Ａを引っ掛けピン１０Ｂから外し、仕切り装置３Ａと３Ｂ、３Ｃを左右に移動して、仕切り装置３Ａと３Ｂの間に仕切り装置の増設を可能にする空き１５を設ける。次に図４の１２の通り１１の空き１５に保管量増加に対応する予備の仕切り装置３Ｄを装入し、３Ａを３Ｄの左側面に寄せ、３Ｂ、３Ｃを３Ｄの右側面に寄せて、連結噐１０により、仕切り装置３Ａと３Ｄと連結し、３Ｄと３Ｂ、３Ｃを連結して必要とした仕切り幅の増設を完了する。【００１７】  次に図１の仕切り装置群の何れかの仕切り装置の保管物が無くなり、不要となった仕切り装置の撤去の例を説明する。図４の１４は図１の仕切り装置群の仕切り装置３Ｂの収納保管物が無くなり、仕切り装置３Ａと３Ｂ、３Ｂと３Ｃの連結噐１０のフック１０Ａを引掛けピン１０Ｂから外し、仕切り装置３Ｂを撤去し出来た空き１６を示す。次に図４の１４は仕切り装置３Ａ、３Ｃを図４の１３で生じた空き１６を無くすように引き寄せて連結噐１０で仕切り装置３Ａ、３Ｃを連結して、不要となった仕切り装置３Ｂの撤去を完了する。
【実施例２】
【００１８】  本発明の第２の実施例について、図５乃至図６により説明するが、図の中で実施例１で説明したものと全く同じものについては同じ符号を付して説明を省略する。図５は本発明になる収納用ラックの斜視全体図である。４０Ａ、４０Ｂ、４０Ｃは図６に示す仕切り装置である。【００１９】  図６はラック１の載置面２を収納物を並べて乗せて移動する仕切り装置の斜視全体図である。４０は仕切り装置である。４１はラック１の載置面２と平行な平面４１Ａを成す仕切り装置４０の載置部材である。４２は載置部材４１の後端部に垂直に一体で形成された後壁である。後壁の下方に伸びた４３Ａと載置部材４１の前側下方に伸びた４３Ｂは仕切り装置４０を移動する際、ガイドとなる案内面である。４６は仕切り部材である。４４は後壁４２と平行に載置部材４１の上面に設けた溝で仕切り部材４６を移動するときの案内溝である。４７は仕切り部材４６を後壁４２に沿って移動する際に載置部材４１の上面に設けた案内溝４４に滑合する滑合部位である。４８は後壁４２上部と滑合し、仕切り部材４６を支持移動するときの滑合用切り欠きである。４５は車輪である。収納物を載置部材４１に乗せて仕切り装置４０を左右に滑らかに移動出来るように載置部材４１の下面に４個並列に配置して取り付けてある。【００２０】  ４２Ａ１はフックで、４２Ｂ１はフックの引っ掛けピンで、図３に示す連結器と同じ構造のものである。【００２１】  このように構成された収納用ラック１の載置面２を収納物を並べて乗せ移動する仕切り装置４０の作用について、実施例１と異なる点について説明する。第１の特徴は仕切り部材４６と載置部材４１と分離し、仕切り部材４６を載置部材４１上で後壁４２と平行に移動し、隣接する仕切り装置４０の仕切り部材４６との幅を無段階で変更することを可能とした点である。又、載置部材４１の幅の中に仕切り部材４６を増設することで、より木目細かい幅の変更が出来る。
【実施例３】
【００２２】  本発明の第３の実施例について、図７乃至図１０により説明する。図７は本発明になる収納用ラックの斜視全体図である。６０は収納用ラックである。６１はラックの載置面である。６４Ａ、６４Ｂ、６４Ｃは図１０に示す仕切り装置である。６２は図１０に示す車付きレールである。６３は前記仕切り装置群を移動する方向を制御するガイドレールである。【００２３】  図８はラック６０の載置面６１を収納物を並べて乗せ移動する仕切り装置の斜視全体図である。６４は仕切り装置である。６５はラック６０の載置面６１と平行な平面６５Ａを成す仕切り装置６４の載置部である。６７は載置部６５の後端部に垂直且つ一体で形成された後壁である。後壁６７の下方に伸びた６６Ａと載置部６５の前側下方に伸びた６６Ｂは仕切り装置６４を移動する際、ガイドとなる案内面である。６８Ａは隣り合う仕切り装置６４と仕切り装置６４を連結するための嵌合用切り欠きである。６８Ｂは前記の嵌合用切り欠き６８Ａと連結するための嵌合用爪である。７０は仕切り部材である。６９は後壁６７と平行に載置部６５の上面に設けた案内溝で仕切り部材７０を移動するとき使用する溝である。７１は仕切り部材７０を後壁６７に沿って移動する際に載置部６５の上面に設けた案内溝６９に滑合し案内する滑合部位である。７２は後壁６７上部と滑合、仕切り部材７０を移動するときの滑合用切り欠きである。７７は収納物を載置部材８１に乗せて仕切り装置８０を左右に移動出来るように載置部材８１の下面に設けた平面である。【００２４】  図９は隣り合う仕切り装置６４と仕切り装置６４の滑合用切り欠き６８Ａと滑合用爪６８Ｂを連結した状態を示す。【００２５】  図１０は車付きレールの正面図と側面図である。６２は車付きレールである。７３は車で、７４は車の軸である。７５は車の軸受を兼ねるフレームで、７６はフレームの底面でラックの載置面６１への取り付け面である。６２はラック載置面６１の奥と手前、ガイドレール６３の内側に平行に２本設置して仕切り装置６４を乗せて移動する車付きレールである。【００２６】  このように構成された収納用ラック６０の載置面６１を収納物を並べて乗せ移動する仕切り装置６４の作用について説明する。第１の特徴は仕切り部材７０と載置部６５と分離し、仕切り部材７０を載置部６５上で後壁６７と平行に移動し、隣接する仕切り装置６４の仕切り部材７０との幅を無段階で変更することを可能とした点である。第２の特徴は隣接する仕切り装置６４を連結固定する機構を独立した物として設けるのでなく、載置部６５の両端に嵌合切り欠き６８Ａ、連結爪６８Ｂを形成し、直に仕切り装置６４を連結固定する方式としたことである。第３の特徴は車付きレール６３をラック６０の載置面６１に２本平行に取り付け、車付きレール６３の上に仕切り装置６４を乗せて移動する構造としたことである。【００２７】  仕切り装置６４の増設、削減に対応する手段については実施例１の図４で説明したことに同じであるので説明を省略する。
【実施例４】
【００２８】  本発明の第４の実施例について、図１３乃至図１４により説明するが、図の中で実施例１で説明したものと全く同じものについては、同じ符号を付して説明を省略する。図１３は本発明になる収納用ラックの斜視全体図である。９０Ａ、９０Ｂ、９０Ｃは図１４に示す仕切り装置である。【００２９】  図１４はラック１の載置面２を収納物を並べて乗せ移動する仕切り装置の斜視全体図である。９０は収納物を乗せて移動する仕切り装置である。９１はラック１の載置面２と平行な平面９１Ａを成す仕切り装置９０の載置部材９１である。９２は載置部材９１の両端に、垂直且つ一体で形成された仕切り部材である。９３は載置部材９１に垂直な仕切り部材９２と直角に形成した後壁である。後壁９３の下方に伸びた箇所９４Ａと載置部材９１前側下方に伸びた箇所９４Ｂの一部は収納物を乗せて仕切り装置９０を移動する際、ガイドとなる案内面である。９５は車輪である。収納物を載置部材９１に乗せて仕切り装置９０を左右に滑らかに移動出来るように載置部材９１の下面に４個並列に配置して取り付けてある。【００３０】  このように構成された収納用ラック１の載置面２を収納物を乗せて移動する、仕切り装置９０の作用について、実施例１と異なる点について説明する。第１の特徴は、載置部材９１の両端に仕切り部材９２を設けたことにより、仕切り装置９０自体を分類単位とすることが出来る。又、連結機構を使わないで規模により実施例１と全く同じ機能を果たす。
【実施例５】
【００３１】  本発明の第５の実施例について、図１３乃至図１４により説明するが、図の中で実施例３で説明したものと全く同じものについては同じ符号を付して説明を省略する。図１３は本発明になる収納用ラックの斜視全体図である。８０Ａ、８０Ｂ、８０Ｃは図１４に示す仕切り装置である。【００３２】  図１４はラック６０の載置面６１を収納物を乗せて移動する仕切り装置の斜視全体図である。８０は仕切り装置である。８１はラック６０載置面６１と平行な平面８１Ａを成す載置部材である。８２は載置部材８１の両端に垂直に一体で形成された仕切り部材である。８５は載置部材８１に垂直な仕切り部材８２と直角に形成された後壁である。後壁８５の下方に伸びた箇所８４Ａと載置部材８１の前側の下方に伸びた８４Ｂの一部は収納物を乗せて仕切り装置８０を移動する際にガイドとなる案内面である。８６は収納物を載置部材８１に乗せて仕切り装置８０を左右に移動出来るように載置部材８１の下面に設けた平面である。【００３３】  このように構成された収納用ラック６０の載置面６１を収納物を乗せて移動する仕切り装置８０の作用について、実施例３と異なる点について説明する。第１の特徴は載置部材８１の両端に仕切り部材８２を設けたことにより仕切り装置８０自体を分類単位とすることが出来る。又、規模により連結機構を使わないでも実施例１と同じ機能を果たす。
【産業上の利用可能性】
【００３４】  以上実施の形態の４つの例について説明した通り、本発明により収納物を分類保管する際、収納物の増減に対応するとき、左右の仕切りを外し収納物を取り出すこと等の繁雑な作業を無くし効率よく対応できるので、例えば
１．医局、薬局のカルテ、処方箋や個人情報の保管ラックの仕切りに適用することができる。
２．カタログ、情報誌等資料の収納保管ラックの仕切りに適用することができる。
３．事務机の資料の分類の仕切りに適用することができる。
【図面の簡単な説明】
【００３５】
【図１】  本発明になる収納用ラックの斜視全体図である。
【図２】  仕切り装置の斜視全体図である。
【図３】  連結器の斜視全体図である。
【図４】  図１に示す仕切り装置群の様態を正面から見た簡略図である。
【図５】  本発明になる収納用ラックの斜視全体図である。
【図６】  仕切り装置の斜視全体図である。
【図７】  本発明になる収納用ラックの斜視全体図である。
【図８】  仕切り装置の斜視全体図である。
【図９】  仕切り装置の連結状態図である。
【図１０】  車付レールである。
【図１１】  本発明になる収納用ラックの斜視全体図である。
【図１２】  仕切り装置の斜視全体図である。
【図１３】  本発明になる収納用ラックの斜視全体図である。
【図１４】  仕切り装置の斜視全体図である。
【符号の説明】
【００３６】  １、６０、収納用ラック
２、６１、収納用ラックの載置面
３、４０、６４、８０、９０、仕切り装置
４、６３、ガイドレール
５、４１、６５、８１、９１、仕切り装置の載置部材
５Ａ、４１Ａ、６５Ａ、８１Ａ、９１Ａ、載置部材の載置面
６、４６、７０、８２、９２、仕切り部材
７、４２、６７、８５、９３、後壁
８、４３、６６、８４、９４、案内面
９、４５、９５、車輪
１０、６８、連結器
１０Ａ１、１０Ａ２、４２Ａ１、フック
１０Ｂ１、１０Ｂ２、４２Ｂ１、引っ掛けピン
１０Ｃ、連結棒
１１、１２、１３、１４、図１に示す仕切り装置群の様態４例
１５、１６、図４の簡略図の空き
４４、６９、案内用溝
４７、７１、滑合部位
４８、７２、滑合切り欠き
６２、車付きレール
６８Ａ、嵌合用切り欠き
６８Ｂ、嵌合用爪
７３、車
７４、軸
７５、軸受けを兼ねるフレーム
７６、フレーム底面
７７、８６、平面
【図１】
2006223790.tif 000003
【図２】
2006223790.tif 000004
【図３】
2006223790.tif 000005
【図４】
2006223790.tif 000006
【図５】
2006223790.tif 000007
【図６】
2006223790.tif 000008
【図７】
2006223790.tif 000009
【図８】
2006223790.tif 000010
【図９】
2006223790.tif 000011
【図１０】
2006223790.tif 000012
【図１１】
2006223790.tif 000013
【図１２】
2006223790.tif 000014
【図１３】
2006223790.tif 000015
【図１４】
2006223790.tif 000016